Podtech/llm-jp-corpus-v4-ja_patent huggingface dataset:
(57)【要約】【課題】  納棺作業の省力化及び紙製組み立て式にし運搬容易性、保管場所の省スペース化。【解決手段】  組立て式紙製の棺であって本体内部の四箇所を接着剤で固定し製作を簡素化し、隅の角部の固定は強力接着剤で事前に糊付けし他に接着しないようテープを貼り作業完了時にテープをはがし角部に貼り固定する。棺の内部は布製毛布を内部に貼り外部は模様付の紙を表して出来映え豪華な製品に仕上げる。【選択図】図２
0003135128.tif 000002
【実用新案登録請求の範囲】
【請求項１】
（イ）組立式紙製棺であって棺蓋（２）上部には小窓（３）を設け、顕花等の落下防止のため平坦にしてあり、棺内部には毛布状の布（６）を貼り外部は化粧紙（７）を貼り豪華さを増してある。
（ロ）棺本体（１）は保管時には平板状であり、使用するときは箱状に組み立てるようになっている。
（ハ）組み立てたときの四隅の折り曲げ部分である接着面（４）には強力接着剤が塗布されており未使用時は他に接着しないようテープ（５）が貼ってあり、組み立て時には前記テープ（５）をはがし本体の側板の隅を接着面（４）に接着し固定するようになっている。
上記（イ）（ロ）（ハ）の構成よりなる組立式紙製棺。
【考案の詳細な説明】
【技術分野】
【０００１】本考案は、納棺前に行う諸作業を容易にするため考えた組立式紙製棺に関する。
【背景技術】
【０００２】従来の棺は木製のものが多かったが遺体収納前に遺体の処理後に納棺の作業に労力がかかり本考案の棺は遺体収納棺安置に少人数で納棺作業を容易にできるようにした。
【特許文献１】特開２００１−３１５７５５
【特許文献１】特開平１０−２９５７４７
【特許文献１】実用新案登録第３０５７９１４号
【考案の開示】
【考案が解決しようとする課題】
【０００３】棺箱の組立てが簡単であり収容後にも場所をとらずに済む。
【課題を解決するための手段】
【０００４】  １、従来から棺の組立ては木製のものが多く角の固め方法などは釘うちが多く箱製として運搬、貯蔵に無駄が多かった
２、本考案はその無駄をなくし容易に棺を組み立てる手間がかからず本品の製作にも手数がかからず、角の部分の固め方は強力接着剤を製作時点に塗り他の部分に接着しないように別紙テープにてその部分に貼り必要なときにその別紙テープをはぎ目的部分に貼り付ける。
３、棺蓋上部を平坦にしたのは顕花の落下防止のため。
４、棺は紙製のため保管や運搬などの手間がかからず容易である。
５、上蓋に小窓を設けてある。
６、本製品は紙製にて平らにしてその上に遺体を置き処理が完了した後には箱状に組立て納棺する。
７、棺内部は毛布状の布を貼り外部は化粧紙を貼りメリハリをつけ豪華さを増した。
８、最後に内部角部の張り紙を付け外部の化粧紙を貼り完成である。
【考案の効果】
【０００５】本棺の組立ては容易で火葬焼却も問題なく金属製品は一切使用していない。。
【考案を実施するための最良の形態】
【考案の効果】
【０００６】以下本発明の実施の形態について説明する。
【実施例】本体の棺を開き平面状にして遺体を内部に安置処理後棺本体の糊状貼紙を別紙部分をはがし角部四箇所に貼付固定し上蓋を被せて外部化粧紙の部分の貼付紙を同様に貼付け固定し完了である。
【図面の簡単な説明】
【０００７】
【図１】本考案の斜視図
【図２】本考案の展開図
【図３】本考案の本体内部の角閉め展開図
【図４】本考案の本体内部の角閉図
【図５】本考案の本体内部の角部接着面部及び内部布製毛布内装図
【図６】角部別紙テープ剥離状態図
【符号の説明】
【０００８】  １    棺本体
２    上蓋
３    小窓
４    角部閉め接着面
５    別紙接着剤塗布部、紙はがす部分（テープ）
６    内部化粧張り布製毛布
７    外部化粧張り表具
【図１】
0003135128.tif 000003
【図２】
0003135128.tif 000004
【図３】
0003135128.tif 000005
【図４】
0003135128.tif 000006
【図５】
0003135128.tif 000007
【図６】
0003135128.tif 000008
(57)【要約】      （修正有）【課題】シリンジに液を充填したとき、ロッドエンドが同一形状で、同一の位置に装着できると自動液体吐出装置は簡素な構造となる。【解決手段】ポリエチレン等で成形された市販シリンジのピストンロッド３は軸直角断面形状が十字形である。ニッパー等で容易に切断できる。ピストン部分を残して一定長さに切断する。この切断部分に自動液体吐出装置の専用形状にしたアダプターを連結する。アダプターの一端は十字スリットを刻設し、スリット巾を狭める締め付け具を設け、他端はロッドエンドとする。【選択図】図１
0003135680.tif 000002
【実用新案登録請求の範囲】
【請求項１】
シリンジ内径より小径の胴部の一端に十字スリットを刻設し、十字スリットの巾を狭める締め付け具を設け、他端は自動液体吐出装置のロッドエンド装着部に合わせたピストンロッド、フランジを形成したアダプター。
【考案の詳細な説明】
【技術分野】
【０１】薬液、インク、塗料、接着剤等の自動液体吐出装置に装着するシリンジのピストンロッドの改良に関する。
【背景技術】
【０２】市販のシリンジは胴径、ピストン形状、ストローク等が、メーカーの違い、容量の大小、用途の違いにより異なる。特にストロークの違いと、ロッドエンドの形状の違いは自動液体吐出装置に種々の工夫が必要であった。
【課題】
【０３】シリンジに液を充填したとき、ロッドエンドが同一形状で、同一の位置に装着できると自動液体吐出装置は簡素な構造となる。
【解決手段】
【０４】ポリエチレン等で成形された市販シリンジのピストンロッドは軸直角断面形状が十字形である。ニッパー等で容易に切断できる。ピストン部分を残して一定長さに切断する。この切断部分に自動液体吐出装置の専用形状にしたアダプターを連結する。アダプターの一端は十字スリットを刻設し、スリット巾を狭める締め付けボルトを設け、他端はロッドエンドとする。
【実施例１】
【０５】市販シリンジのピストン１は、ピストンヘッド２、ピストンロッド３、ロッドエンド４でなり、一体成形されている。ピストンロッド３部で切断しピストンヘッド５とする。【０６】アダプター１０は、シリンジ内径より小径の胴部１１の一端は十字スリット１２を刻設し、片方のスリット１４の巾を狭める締め付けボルト１３を設け、他端は自動液体吐出装置２１のロッドエンド装着部２２に合わせたピストンロッド１６、フランジ１７を形成する。
【作用】
【０７】ピストンヘッド５を十字スリット１２に挿入し、締め付けボルト１３で固定し、シリンジ２０に挿入する。自動液体吐出装置２１に装着するとフランジ１７はロッドエンド装着部２２に嵌まり込む。
【効果】
【０８】アダプター１０を装着して、市販シリンジを自動液体吐出装置の専用シリンジとできる。これにより自動液体吐出装置は多種の市販シリンジに適応さす機構を省略でき、簡素な構造にできる。
【０９】十字スリット１２はアダプター１０の中心とピストンヘッド５の中心とを一致さすので容易に装着ができる。
【１０】シリンジの装着ミスを防止できる。ミスの一例としてシリンジのストロークより自動液体吐出装置のストロークが大きいとき、ロッドエンド装着部２２を原点に戻すとピストンヘッドがシリンジより抜けてしまう。
【１１】フランジ１７を金属に出来、確実な装着が可能になる。
【実施例２】
【１２】アダプター３０は左から、十字スリット３１を刻設したテーパー部３２と、雄ねじ部３３と、外周にローレットを刻設した保持部３４と、ピストンロッド部３５と、ロッドエンド部３６で構成する。外側にテーパー部３２と雄ねじ部３３とに契合するナット３７を設置する。【１３】十字スリット３１にピストンヘッド５を挿入し、ナット３７を回すと、テーパー部３２を締め付け十字スリット３１が狭くなりピストンヘッド５を固着する。
【効果】
【１４】実施例１では締め付けボルト１３操作の固定はレンチを必要とするが、実施例２は手だけで操作できる。
【図面の簡単な説明】
【１５】
【図１】市販シリンジのピストンの立体図
【図２】市販シリンジのピストンロッドを切断した立体図
【図３】実施例１のアダプター１０の立体図
【図４】実施例１のアダプター１０を装着したシリンジ２０を自動液体吐出装置２１にセットした立体図＾
【図５】実施例２のアダプター３０の立体図
【符号の説明】
【１６】１：ピストン  ２：ピストンヘッド  ３：ピストンロッド  ４：ロッドエンド  ５：ピストンヘッド  １０：アダプター  ２１：自動液体吐出装置
【図１】
0003135680.tif 000003
【図２】
0003135680.tif 000004
【図３】
0003135680.tif 000005
【図４】
0003135680.tif 000006
【図５】
0003135680.tif 000007
(57)【要約】      （修正有）【課題】片手で簡単にトイレットペーパーを切断するトイレットペーパーカッターを提供する。【解決手段】フード状トイレットペーパーカッターの、フード部Ａに開口部Ｃを設ける。フード部Ａの先端にトイレットペーパーカッターＤを設置する。トイレットペーパーＢは、開口部を通りフード部の上面に出て、さらにトイレットペーパーカッターの上を通って垂れ下がる。この状態から、トイレットペーパーをもって下方向に引っ張ると、トイレットペーパーカッターを押す方向に力Ｆがかかる。すると、トイレットペーパーが固定されるので、押す力が逃げることなくトイレットペーパーカッターにかかり、トイレットペーパーが簡単に切断される。【選択図】図２
0003135690.tif 000002
【実用新案登録請求の範囲】
【請求項１】
トイレットペーパーホルダーに設置されている蓋状のフードで、先端にトイレットペーパーカッターを設けた、フード状トイレットペーパーカッターにおいて、フード部に開口部を設け、トイレットペーパーをフード上面まで貫通させ、フード先端に設けたトイレットペーパーカッターに押し付けることでトイレットペーパーの切断を行う、片手で切れるトイレットペーパーカッター。
【請求項２】
トイレットペーパーホルダーに設置されている既存の蓋状のフードに、追加設置することのできる請求項１の片手で切れるトイレットペーパーカッター。
【考案の詳細な説明】
【考案の詳細な説明】
【産業上の利用分野】
【０００１】今考案は、トイレットペーパーカッターに関するものである。
【背景技術】
【０００２】トイレットペーパーホルダーに設置されている蓋状のフードで、先端にトイレットペーパーカッターを設けた、フード状トイレットペーパーカッターにおいて、トイレットペーパーを切断する方法は、片手でトイレットペーパーカッターを押さえて、もう一方の手でトイレットペーパーを引っ張って切断するといった事を行わなければならない。
一般的にも両手を使うということで、大変不便であるし、特に手や腕の不自由な人や、目の見えない人などの身体障害を持つ方にとって、非常にわずらわしいものである。
また、片手で強引に引っ張ってトイレットペーパーを切断しようとした場合も、トイレットペーパーを引くことで（図３−Ｅ）フード状トイレットペーパーカッターが持ち上がってしまい（図３−Ｆ）、うまく切れないばかりか、トイレットペーパーが必要以上に出てきてしまうので非常に不経済である。
また、斜めに引きちぎった場合などトイレットペーパーの切り口が斜めに裂けてしまったり、引きちぎられて歪な切り口になったりし、次に利用する人にとって、きれいに見えないばかりか、人によっては不衛生に感じる人もいる。
【考案が解決しようとする課題】
【０００３】本考案が解決しようとする課題は、片手で簡単にトイレットペーパーを切断するトイレットペーパーカッターを提供することである。
【課題を解決するための手段】
【０００４】フード状トイレットペーパーカッターの、フード部（図２−Ａ）に開口部（図２−Ｃ）を設ける。
フード部（図２−Ａ）の先端にトイレットペーパーカッター（図２−Ｄ）を設置する。
【作用】
【０００５】トイレットペーパー（図２−Ｂ）は、開口部（図２−Ｃ）を通りフード部の上面に出て、さらにトイレットペーパーカッター（図２−Ｄ）の上を通って垂れ下がる。
この状態から、トイレットペーパーをもって下方向に引っ張る（図２−Ｅ）と、トイレットペーパーカッター（図２−Ｄ）を押す方向に力がかかる。
その力は、フード部（図２−Ａ）を下に押し下げ、トイレットペーパー（図２−Ｂ）に強く接触するようになる。（図２−Ｆ）
そのため、トイレットペーパー（図２−Ｂ）はトイレットペーパーが引っ張られることで回転しようとする動きにブレーキがかかった状態となり、それ以上トイレットペーパーが出ないようになる。
すると、トイレットペーパーが固定されるので、押す力が逃げることなくトイレットペーパーカッター（図２−Ｄ）にかかり、トイレットペーパーが簡単に切断される。
【実施例】
【０００６】トイレットペーパーが、開口部（図２−Ｃ）を通りフード部の上面に出て、さらにトイレットペーパーカッター（図２−Ｄ）の上を通って垂れ下がるようにできる部品をつくり、従来から設置されているフード状トイレットペーパーカッターに追加して設置すると、同様の効果を得ることができる。
トイレットペーパーカッター（図２−Ｄ）は、指や手が直接触れてしまうことが考えられるので、鋭利でない形状にしたり、ガードを設置したりするとより安全に切断が行える。
【考案の効果】
【０００７】本考案を実施することにより、片手で簡単にトイレットペーパーを切断することができるので、わずらわしさがなくなるばかりではなく、手や腕の不自由な人や、目の見えない人などの身体障害を持つ方にとっても大変便利になるのである。
さらに、常にきれいに切断されているので、見た目も気持ちがいい。
また、切った後にトイレットペーパーがフード部の上に残るので、次に使用する人がとりやすく便利である。
【図面の簡単な説明】
【図１】片手で切れるトイレットペーパーカッターの斜視図
【図２】片手で切れるトイレットペーパーカッターの側面図  Ａ  フード部  Ｂ  トイレットペーパー  Ｃ  開口部  Ｄ  トイレットペーパーカッター  Ｅ  トイレットペーパーをもって引っ張る力  Ｆ  トイレットペーパーをもって引っ張る事によってフードにかかる力
【図３】従来型フード状トイレットペーパーカッターの側面図  Ａ  フード部  Ｂ  トイレットペーパー  Ｄ  トイレットペーパーカッター  Ｅ  トイレットペーパーをもって引っ張る力  Ｆ  トイレットペーパーをもって引っ張る事によってフードにかかる力
【図１】
0003135690.tif 000003
【図２】
0003135690.tif 000004
【図３】
0003135690.tif 000005
(57)【要約】      （修正有）【課題】既存の宅配ボックスと違い荷受け者のドアに直接宅配荷物収納可能な大きさの投入口を設けて収納出来るようにする。【解決手段】今まで土地や家屋の一部に独立してつくられている宅配用ボックスと違い、狭いアパート、マンションでも配達に支障がなく、紛失や盗難が発生しにくく、安全性をも重視し、且つ又、プライベートの保持、再配達等の不便さ、居宅を義務付ける、受取りサイン等の繁雑さも回避出来、荷受け人や配達人にも歓迎される。【選択図】図６
0003135686.tif 000002
【実用新案登録請求の範囲】
【請求項１】
ドアの入口に宅配用荷受けを設け、その荷受け口は入口から宅配用荷物を入れたら、入れた手および手首や腕だけは抜け出せるようにした穴がついている強力なゴム性板を設置し、又ドアの内側に強固で伸縮性に富んだ網状の袋を取りつけ、当該荷物を収納したのち取り出すときに着脱可能なフックを外し荷物を受け取る事ができるようにしたところを特徴とするドア内安全収納網状袋付宅配用ポストである。
【考案の詳細な説明】
【技術分野】
【０００１】  本考案は荷受け口を郵便物より大きめに宅配標準荷物が十分に入る収納網状袋をドアの  内側に設けた、宅配用のポストに関するものである。
【背景技術】
【０００２】  宅配に於いては留守の時は持ち帰り、再配達をしていた、確実に荷受け人に荷物を引き渡した証拠として、荷受入の領収印又はサインが必要条件の一つとして存在していた。
【考案の開示】
【考案が解決しようとする課題】
【０００３】宅配のおおきな問題は留守の為に再配達するときのガソリン代のコストの負担増、又、配達を装った犯罪も起きており、これらの事からも安全で確実な荷受けの出来る事により、前述の欠点を解決しようとするものである。
【問題を解決する為の手段】
【０００４】本考案は宅配用標準荷物を受け入れる口をドア部分に設け、盗難防止用に強固で、一旦荷物を投入したら、二度と外から取り出せないようなゴム板を取りつけるが、手首だけは抜け出せるように円形状の空間を設けたものを作る。投入された荷物はドアの裏側に設置された着脱可能で伸縮性に富んだゴム使用の収納網状袋に収められる事により、問題を解決している。
【考案の効果】
【０００５】上述のように、本考案のドア内安全収納網状袋付宅配用ポストは投入口から再度荷物を取り出せない事は勿論、荷受け人が常時、在宅していなくても、荷物を確実に受け取る事が、出来、又、宅配を装った犯罪にも会う事がないことで防犯にも役立っている。
【考案を実施する為の最良の形態】
【０００６】ドアの投入口の蓋を開き入口に設置されている、手だけは抜け出せるように円形の穴が有る取り出し防止用の強力なゴム板を押して荷物を入れる。次に投入された荷物を受け取る時に着脱可能のフックを納入網状袋から外し取り出す。取り出した後はフックを元の状態に戻しておく。
【実施例】
【０００７】以下、添付図面に従って一実施例を説明する。１は家屋侵入の為のドアであり、４は宅配荷物を投入するときに上部に持ち上げ式の蓋である。荷物を安全確実に投入して、外部から、決して取り出せない為に６の投入後に手首は抜け出せるように円形の穴を設けた強力なゴム状板を取りつけている。８は投入される荷物を受ける網状の袋であり、９は宅配用荷物である。荷物を受け取った後に７の着脱可能なフックを外し、荷物を取り出す、取り出した後は再びフック７を元の状態に戻す。
【図面の簡単な説明】
【０００８】
【図１】本考案の収納前の表正面図である。
【図２】本考案の収納可能時の表正面図である。
【図３】本考案の収納可能時の側面図である。
【図４】本考案の荷物収納後の側面図である。
【図５】本考案の収納前の裏面図である。
【図６】本考案の荷物収納後の裏面図である。
【符号の説明】
【０００９】１  家屋侵入可能なドアの前面
２  家屋侵入可能なドアの裏面
３  家屋侵入可能なドアの側面
４  宅配用投入口上部開閉ドア蓋
５  郵便ポスト
６  手抜き用穴付ゴム板荷物投入口
７  着脱フック
８  伸縮性ゴム網使用収納袋
９  宅配用荷物
【図１】
0003135686.tif 000003
【図２】
0003135686.tif 000004
【図３】
0003135686.tif 000005
【図４】
0003135686.tif 000006
【図５】
0003135686.tif 000007
【図６】
0003135686.tif 000008
(57)【要約】      （修正有）【課題】オフィシャルでありながらも、プレーヤーのパーソナルなデータも簡単に記録できる、コンパクトで使い安さ第一のスコアカードを提供する。【解決手段】見開き式ゴルフスコアカードの左側には各ホールの距離や標準打数などと複数プレーヤーのスコア表２があり、折り目９を境に右側には、自身のデータ表３が設けられていて、それらは１８番ホールまで交互にストライプ状に色分けし、更にはアウトとイン及びトータルのスコア欄とデータ欄は薄い別色で印刷する。更には、右側のデータ表にドライバーショットだけ距離を記載し、他はクラブ選択のみを記載するような項目を設けて単純化する。【選択図】図１
0003135689.tif 000002
【実用新案登録請求の範囲】
【請求項１】
ホール毎に自分のドライバーショットの距離や使用したクラブなとのデータを記録できるようにした見開き式ゴルフスコアカードにおいて、左側には各ホールの距離や標準打数などをあらかじめ印刷された表と、自身を含む複数プレーヤーのスコア表があり、折り目を境に右側には自身のデータ表が設けられていて、かつ、例えば１番ホールのスコア欄とデータ欄は横に通して薄い色で、２番ホールのそれらは白無地といったように１８番ホールまで交互にストライプ状に色分けし、更にはアウトとイン及びトータルのスコア欄とデータ欄は薄い別色で印刷されてなるストライプ色分けゴルフスコアカード。
【請求項２】
右側のデータ表には、ドライバーショットだけ距離を記載し、その後はクラブ選択のみを記載するような項目を設けたことを特長とする請求項１記載のストライプ色分けゴルフスコアカード。
【考案の詳細な説明】
【技術分野】
【０００１】  本考案はゴルフのスコアカードに関するものである。
【背景技術】
【０００２】  一般的にスコアカードはゴルフ場別にオリジナルで作成されたものを使用するので、当然各ホールの距離、標準打数が最初から印刷されている。通常見開き式のものが多い。これらは複数のプレーヤーのスコアが書き込めるようになっており、相互に確認する仕組みになっていてオフィシャルなものといえる。他には個人の技術向上のためにクラブの選択結果や飛距離、各ホールのコンディションなどを記録できるパーソナルなタイプとがあった。例えば、特開２００３−０３３４６０のようにパーソナルなスコアカードとして詳細を極めるものもあった。又、実登３１１０４３０にあるようなプレーデータをゴルファーの技量を診断したり統計データとしてコンピュータ入力しやすく詳細に項目を設けたものもあった。但し、これらパーソナルなスコアカードは、あくまでもプレーヤー個人の記録であって、コンペなとで使用できるオフィシャルなものにはなりえなかった。理由は記録すべき項目が多すぎて紙面的に無理だからである。オフィシャルなものにしてもあまり上質とはいえない太い芯の鉛筆で急いで書くので数字も雑になり、集計時に読み間違いなとの問題も多かった。
【考案の開示】
【考案が解決しようとする課題】
【０００３】  従来の技術で述べたように、個人のプレーデータを記録できることは重宝であるが、あまり複雑だとプレーに集中できないし、時間もかかり他のプレーヤーに迷惑がかかることもある。一人でプレーするのならともかくパーティを組んでプレーする場合には使いにくかった。本考案は、このような問題を解決して、コンペでも使えるオフィシャルなものでありながらもプレーヤーのパーソナルなデータも簡単に記録できるコンパクトで使い安さ第一のスコアカードを提供することにある。
【課題を解決するための手段】
【０００４】  本考案は、通常用いられるサイズの見開き式ゴルフスコアカードとし、左側には各ホールの距離や標準打数などをあらかじめ印刷された表と、自身を含む複数プレーヤーのスコア表があり、折り目を境に右側には自身のデータ表が設けられていて、かつ、例えば１番ホールのスコア欄とデータ欄は薄い色で、２番ホールのそれらは白無地といったように１８番ホールまで交互にストライプ状に色分けし、更にはアウトとイン及びトータルのスコア欄とデータ欄は薄い別色で印刷する。これは横の数字を見やすくすると同時に縦の集計にも好都合である。【０００５】  右側のデータ表には、ドライバーショットだけ距離を記載し、その後は選択クラブのみを記載するような項目を設けて出来るだけ単純化する。一般のゴルファーはドライバーショットが難しいので距離を記録できるようにする。
【考案の効果】
【０００６】  上述のようにスコア表及びデータ表が各ホール毎に薄い色でストライプ状に色分けされているので縦横の数字や記号が見やすく、集計のときも間違えにくい。同時にパーソナルデータも簡単に記録できて、後日の技術向上に役立つ。
【考案を実施するための最良の形態】
【０００７】  寸法は、一般でよく用いられている縦１２８ｍｍ、横幅１７２ｍｍの紙を用いる。紙の厚さは通常と同等で構わない。これを二つ折りしてやればポケットに入りやすい寸法となる。外側は当該ゴルフ場関係の印刷にあて、内側にスコアカードとしての印刷を施す。最良の形態は、図面にあるように印刷内容がポイントである。四人のプレーヤーのスコアが記載できること、ストライプ印刷はコンピューターのデータ出力用紙のような例えば淡い青と紙の白で構成されるのが目にも優しくかつ見やすいので好ましい。他の印刷箇所はやはり淡い色でストライプの青に対して温かい色の系統で構成されるのが好ましい。
【実施例】
【０００８】  以下、図面に従って説明する。１はストライプ色分けゴルフスコアカード、２はスコア表、３は自身のデータ表、４はＡ色部、５は白無地部、６は選択クラブ欄、７はドライバーショットの距離欄、８はＢ色部、９は折り目、１０はストライプ着色部である。
【産業上の利用可能性】
【０００９】  本考案は上記のように構成されているので、プロの公式試合はともかく、一般のプレーヤーが使用するオフィシャルスコアカードとして有用である。パブリックコースでは新しいサービスとして広く提供できる。
【図面の簡単な説明】
【００１０】
【図１】  本考案のストライプ色分けゴルフスコアカードの平面図である。
【符号の説明】
【００１１】  １  ストライプ色分けゴルフスコアカード
２  スコア表
３  自身のデータ表
４  Ａ色部
５  白無地部
６  選択クラブ欄
７  ドライバーショットの距離欄
８  Ｂ色部
９  折り目
１０  ストライプ着色部
【図１】
0003135689.tif 000003
(57)【要約】      （修正有）【課題】仕事を持っている女性や主婦が、時間等がなく忙しくても、毎日の調理中に、ストレスの解消やリラクゼーション効果があると言われているマイナスイオンを、特にめんどうな専用機器等を作動させる必要もなく、時間の節約もし、多量に吸入することができるようにする。また、発生したマイナスイオン量を確認することができるようにする。【解決手段】卓上式のクッキングヒーター本体１の側面のマイナスイオン発生器部２にマイナスイオン発生器を設け、電源スイッチより電源を入れると、ヒーター部７が加熱し、調理の開始とともに、同時にマイナスイオン吹き出し口３より空気中に多量のマイナスイオンを放出し、呼吸により空気中に放出された多量のマイナスイオンを毎日の調理中に吸入するものである。また、マイナスイオン測定器部４に内蔵されたマイナスイオン測定器によって、発生したマイナスイオン量を測定し、ディスプレイ５に表示し、発生したマイナスイオン量を確認することができるようにしたものである。【選択図】図１
0003135687.tif 000002
【実用新案登録請求の範囲】
【請求項１】
卓上式のクッキングヒーター本体１の側面のマイナスイオン発生器部２にマイナスイオン発生器を設け、電源スイッチ６より電源を入れると、マイナスイオン吹き出し口３より空気中にマイナスイオンを放出するようにしたところを特徴とするマイナスイオン発生器をつけたクッキングヒーター
【請求項２】
卓上式のクッキングヒーター本体１の側面のマイナスイオン発生器部２にマイナスイオン発生器を設け、電源スイッチ６より電源を入れると、マイナスイオン吹き出し口３より空気中にマイナスイオンを放出するようにし、マイナスイオン測定器部４に内蔵されたマイナスイオン測定器によって、発生したマイナスイオン量を測定し、ディスプレイ５に表示し、発生したマイナスイオン量を確認することができるようにしたところを特徴とするマイナスイオン発生器をつけたクッキングヒーター
【考案の詳細な説明】
【技術分野】
【０００１】  本考案は、マイナスイオン発生器及びマイナスイオン測定器をつけたクッキングヒーターに関するものである。
【背景技術】
【０００２】  従来、マイナスイオンを発生させる調理器としては、特許第３６８０２６８号及び実用新案登録第３０９６６８４号及び特開２００３−８６３３４及び特開２００６−２３０２２６等があった。
また、マッサージ機や医療器具、保温用ヒーター、エアコン等にマイナスイオンを発生させるものがあった。
【考案の開示】
【考案が解決しようとする課題】
【０００３】  マイナスイオンを発生させる調理器は、主に調理する料理をおいしくすることが目的で、電子レンジの庫内などにマイナスイオンを閉じ込め、外部に出ないようにするなどの処置が取られていることが多く、また発生量も微量である。また、マッサージ機や医療器具、保温用ヒーター、エアコン等は、空気中に放出したマイナスイオン効果を得ようとするごとに器具を作動させなければならず、特に保温用ヒーターやエアコンの作動の必要性は、主に気温に左右される。
【課題を解決するための手段】
【０００４】  本考案は、以上の問題点を解決するために、卓上式のクッキングヒーター本体１の側面のマイナスイオン発生器部２にマイナスイオン発生器を設け、電源スイッチ６より電源を入れると、ヒーター部７が加熱し、調理の開始とともに、同時にマイナスイオン吹き出し口３より空気中に多量のマイナスイオンを放出し、呼吸により空気中に放出された多量のマイナスイオンを毎日の調理中に吸入するものである。また、マイナスイオン測定器部４に内蔵されたマイナスイオン測定器によって、発生したマイナスイオン量を測定し、ディスプレイ５に表示し、発生したマイナスイオン量を確認することができるようにしたものである。
【考案の効果】
【０００５】  上述のごとく、本考案は、仕事を持っている女性や主婦が、時間等がなく忙しくても、毎日の調理中に、ストレスの解消やリラクゼーション効果があると言われているマイナスイオンを、特にめんどうな専用機器等を作動させる必要もなく、多量に吸入することができ、時間の節約にもなる。また、マイナスイオン測定器部４に内蔵されたマイナスイオン測定器によって、発生したマイナスイオン量を測定し、ディスプレイ５に表示された数値によって、発生したマイナスイオン量を確認することができる。【０００６】  なお、体内のペーハー値が下がり酸性になった状態を、マイナスイオンを呼吸等によって取り込めば、正常値のｐＨ７からｐＨ７．６の弱アルカリ性に近づける効果があり、酸化を防止して還元し体内バランスを取る効果があり、ストレスの解消に役立つと言われている。
さらに、本考案は卓上式なので、移動が容易であるという利便性がある。
【考案を実施するための最良の形態】
【０００７】  卓上式のクッキングヒーター本体１の側面のマイナスイオン発生器部２にマイナスイオン発生器を設け、電源スイッチ６より電源を入れると、ヒーター部７が加熱し、調理の開始とともに、同時にマイナスイオン吹き出し口３より空気中に多量のマイナスイオンを放出し、呼吸により空気中に放出された多量のマイナスイオンを毎日の調理中に吸入するものである。また、マイナスイオン測定器部４に内蔵されたマイナスイオン測定器によって、発生したマイナスイオン量を測定し、ディスプレイ５に表示し、発生したマイナスイオン量を確認することができるようにした。
なお、マイナスイオン吹き出し口３は、正面では水などにより汚れるという問題点があるので、側面に設けることが望ましい。
【実施例】
【０００８】  卓上式のクッキングヒーター本体１の側面のマイナスイオン発生器部２にマイナスイオン発生器を設け、電源スイッチ６より電源を入れると、ヒーター部７が加熱し、調理の開始とともに、同時にマイナスイオン吹き出し口３より空気中に多量のマイナスイオンを放出し、呼吸により空気中に放出された多量のマイナスイオンを毎日の調理中に吸入するものである。また、マイナスイオン測定器部４に内蔵されたマイナスイオン測定器によって、発生したマイナスイオン量を測定し、ディスプレイ５に表示し、発生したマイナスイオン量を確認することができるようにした。
【図面の簡単な説明】
【０００９】
【図１】  本考案をを示した左側面図である。
【図２】  本考案を示した斜視図である。
【図３】  本考案を示した平面図である。
【符号の説明】
【００１０】    １  クッキングヒーター本体
２  マイナスイオン発生器部
３  マイナスイオン吹き出し口
４  マイナスイオン測定器部
５  ディスプレイ
６  電源スイッチ
７  ヒーター部
８  ガラストッププレート
９  操作パネル
１０  脚部
【図１】
0003135687.tif 000003
【図２】
0003135687.tif 000004
【図３】
0003135687.tif 000005
(57)【要約】      （修正有）【課題】産業廃棄物捨場及び最終処分場又は溜池、貯水池、遊水地等の築造時に池の底になる原地盤上に敷設するゴム又は塩化ビニールシート等の遮水シートと原地盤上との間に発生したガスを外部に容易に排出するのを目的としたガス抜き装置を提供する。【解決手段】本体に当る円筒形パイプ４の上部に円板状の弁座１を輪環５と６とをバネ８にて連結しパイプ４の下部に有孔管部１１を設けパイプ４の長さ方向の中間にリングとベラシートとリングの３ッ重ねを固定し有孔管部１１をフィルターで覆い有孔管部の底部に台座を取り付け組立てを完了したものをガス抜き装置とする。【選択図】図１
0003135681.tif 000002
【実用新案登録請求の範囲】
【請求項１】
円盤状をしたプラスチック板弁座（１）の端部を斜め内側にテーパー（２）をつけたものとプラスチック製の円筒形パイプ（４）の最上部を内側に斜めテーパー（３）をつけたものとをテーパー（２）と（３）の面が完全に相合さる様にした弁座（１）の下部に取り付けた輪環（５）と円筒形パイプ（４）の内部に取り付けた支え梁（７）の中間にある輪環（６）との間を極弱い弾力性に富んだ極細のバネ（８）で連結する事で弁座（１）と円筒形パイプ（４）とのテーパー部（２）と（３）より雨水の流入を防ぐ事とし円筒形パイプ（４）の長さ方向の中間より下部に複数の空気の通過可能な孔を設けその有孔部郡（１２）（１２’）の全面を通気性を有する織布又は不織布をフィルター（１３）として覆い巻きつけ円筒形パイプ（４）の有孔管部（１１）の底部に喰い組み合わす事の出来る突起付円盤状台座（１４）を取り付け更に円筒形パイプ（４）の長さ方向の中間部分にプラスチック製のリング（９）とリング（９’）の間にゴム又は塩化ビニールシートからなるベラシート（１０）をサンドイッチ状に挟み込んだ３ッ重ね状のものを接着取り付けたガス抜き装置で溜池遊水地、貯水池等の築造時に於ける原地盤に敷設した漏水防止用遮水シート（１５）の一部を切り欠いた箇所に本考案のガス抜き装置を差し込み遮水シート（１５）の表面にガス抜き装置のベラシート（１０）を水平に重ね合わせた箇所を接着又は熱溶着で固定し遮水シート（１５）の下部の原地盤との間に垂直になる様に位置付かせ原地盤より発生したガスを円筒形パイプ（４）の下部有孔部（１２）（１２’）より吸収し堆積したガスの揚圧力によって円筒形パイプ（４）の最上部の弁座（１）が押し上げられ弁座（１）と円筒形パイプ（４）とのテーパー部（２）と（３）の隙間よりガスを外部へ排出する装置である。
【考案の詳細な説明】
【考案の詳細な説明】
【産業上の利用分野】
【０００１】  本考案は産業廃棄物の捨場及び最終処分場又は溜池、貯水池、遊水地等の築造時に池の底になる原地盤上に敷設するゴム又は塩化ビニールシート等の遮水シートと原地盤上との間に発生したガスを容易に外部へ排出するのを目的としたガス抜き装置である。装置の構成は第１図〜第４図迄の部品から成り第５図はそれらの部品を組立てたガス抜き装置の断面図である。第６図はガス抜き装置を遮水シート（１５）に取り付けた断面図であり、その取り付け方法は遮水シート（１５）の一部をガス抜き装置の底部台座（１４）が入る大きさに直線に切り裂き、ガス抜き位置が水平に敷設してある遮水シート（１５）に対して直角になる様に位置づけ有孔管（１１）の上部に取り付けたベラシート（１０）が遮水シート（１５）の表面と水平に相合する様重ね、その重ね部分をのり接着又は熱溶着して水漏れのない様にしガス抜き装置の取り付けが完了する。次に効果としては第６図のガス抜き装置の下部有孔管（１１）部分と原地盤との間に空間が生じている為原地盤より発生したガス（１６）は排出場所を求めて有孔管部のフィルター（１３）を通過し、有孔部（１２）（１２’）に吸収されガス抜き装置の内部に集中堆積され揚圧力となって最上部の弁座（１）を押し上げ弁座（１）と円筒形パイプ（４）とのテーバー部（２）と（３）の隙間より外部へ排出されガスの揚圧力の低下と共に弁座（１）はバネ（８）の復元作用で再び元の位置に戻る為、池の水がガス抜き装置内に逆流入する事はありえない依って原地盤に発生したガス（１６）は本考案のガス抜き装置内により滞流、堆積する事なく排出され遮水シートの保護と遮水の効果を半永久的に確保維持しガス（１６）の異常発生により遮水シート（１５）が破損、その為堤防、擁壁が崩壊、果ては人命にもかかわる様な二次災害を未然に防止するガス抜き装置である本案の特徴はガス抜き装置を遮水シート（１５）に容易に取り付け可能なベラシート（１０）とその下部に設けたフィルター（１３）付有孔管（１１）とガス抜き装置を垂直な状態に維持し得る台座（１４）とにある。
【図面の簡単な説明】
【図１】  本考案のガス抜き装置の本体になる弁座付円筒形パイプの下部に有孔管の付いた斜視図。
【図２】  本体円筒形パイプの長さ方向の中間に固定されるリング、ベラシート、リングの３ッ重ねの分解図。
【図３】  本体円筒形パイプの下部の有孔管部に覆い被せるフィルターの斜視図。
【図４】  本体の円筒形パイプの有孔管部の底部に取り付ける突起付台座の斜視図。
【図５】  第１図〜第４図迄の部品を組立てた本考案のガス抜き装置の断面図。
【図６】  本考案のガス抜き装置を溜池及び遊水地等の築造時に敷設してある遮水シートに取り付けた断面図。
【符号の説明】
（１）弁座
（２）弁座のテーバー部
（３）円筒形パイプの上部テーパー部
（４）円筒形パイプ本体
（５）輪環、弁座に固定されたもの
（６）輪環、本体支え梁に固定されたもの
（７）支え粱
（８）バネ
（９）リング
（９’）リング
（１０）ベラシート
（１１）有孔管部
（１２）有孔部
（１２’）有孔部
（１３）フィルター
（１４）突起付台座
（１５）遮水シート
（１６）発生ガス
（１７）原地盤
【図１】
0003135681.tif 000003
【図２】
0003135681.tif 000004
【図３】
0003135681.tif 000005
【図４】
0003135681.tif 000006
【図５】
0003135681.tif 000007
【図６】
0003135681.tif 000008
(57)【要約】      （修正有）【課題】デジカメと大きな表示装置との間にパソコンの存在を省略し、小型で、軽く、可搬性、軽便性に富む。【解決手段】表示装置にＵＳＢインターフェース部を設け、デジカメとの間を簡易で小さく軽いＵＳＢケーブルでダイレクトに接続し重く大きいパソコンを排除することにより可搬性、軽便性を、またＰｉｃｔＢｒｉｄｇｅ仕様でプリントする感覚でデジカメの簡単操作により簡便性を実現する。【選択図】図１
0003135684.tif 000002
【実用新案登録請求の範囲】
【請求項１】
デジカメで撮った写真データなどを表示する装置に於いて、その表示装置の内部にＵＳＢインターフェース部を設けて、デジカメとその表示装置とをＵＳＢケーブルで直接接続し、そのＵＳＢケーブルで接続するデジカメとの通信制御プロトコールがＰｉｃｔＢｒｉｄｇｅ（ピクトブリッジ）仕様であることを特徴とする表示装置。
【考案の詳細な説明】
【技術分野】
【０００１】  デジタルカメラ（以下、デジカメ）の写真などのデータを表示する装置に関する。
【背景技術】
【０００２】  従来、デジカメで撮った写真を表示するには、
・デジカメ本体に付いた液晶画面、
・一旦パソコンにデータを取り込んでパソコンに付いた表示画面
を用いるのが一般的であった。
前者のデジカメ本体に付いた液晶画面は大体が３インチ程度の大きさで小さく写真のブレなどの細かいところまでは識別できず、どうしても後者のパソコンに付いた１５インチ程度ないしそれ以上の大きな表示画面に映し出して写真の出来映えの判定をしなければならなかった。
それでプリントしてみて初めて分るブレなどの不具合を事前に回避できていた。
すなわち、デジカメで撮影し、
・デジカメ本体の液晶画面で撮影の概略を確認し、
・パソコンの大きな画面で写真撮影の詳細をチェックし、
・初めてプリントする、
と言ったステップを踏む時、パソコンが必須であった。
【考案の開示】
【考案が解決しようとする課題】
【０００３】  デジカメと大きな表示装置との間にパソコンの存在が必須であり大きくもあり重くもあり可搬性、軽便性と言う面で課題があった。
同時にパソコンの専門的な操作技術を必要とした。
【課題を解決するための手段】
【０００４】  本考案は、表示装置にＵＳＢ端子を設け、デジカメとの間を簡易で小さく軽いＵＳＢケーブルでダイレクトに接続し重く大きいパソコンを排除することにより軽便化を実現し、これにより上記課題を解決するものである。
更に、本来デジカメとプリンタとの間のプロトコール規格であるＰｉｃｔＢｒｉｄｇｅ（ピクトブリッジ）仕様で本考案の表示装置とデジカメとをＵＳＢケーブルでダイレクト接続することによってデジカメ側の仕様、操作、などを変更することなくプリントすると同じ感覚で、すなわち、パソコンなどの専門的な操作技術が分からなくても大きな表示を可能とし、これにより上記課題を解決するものである。
【考案の効果】
【０００５】  本考案の表示装置とデジカメとをＰｉｃｔＢｒｉｄｇｅ（ピクトブリッジ）仕様でダイレクト接続することにより、パソコン無しが故の軽便性と、デジカメでプリントすると同様の操作・指示できる簡便性で表示された大きな画面上での写真撮影のチェックが可能となりプリントの失敗が激減される。
【考案を実施するための最良の形態】
【０００６】  前述のＰｉｃｔＢｒｉｄｇｅとはデジカメとプリンタを直接接続して印刷するための通信規格である。
デジカメで撮影した画像をプリンタで印刷するには、従来は一旦パソコンに保存しなければならなかったが、ＰｉｃｔＢｒｉｄｇｅ対応の機器同士はＵＳＢケーブルで接続して直接印刷を行なうことができる。
デジカメ側で印刷設定（用紙サイズなど）を指定することができるほか、指定がない画像はプリンタ側の標準設定で印刷する機能もある。また、指定した画像を印刷するだけでなく、縮小した画像の一覧を印刷するインデックスプリント機能や、同一画像の複数枚プリント、日付入りプリントなど多彩な機能を利用することができる。
ＰｉｃｔＢｒｉｄｇｅが提供する機能は、これまで各メーカーが自社製品同士でのみ利用可能な独自仕様で実現していたが、ＰｉｃｔＢｒｉｄｇｅはこれを標準化し、異なるメーカーのデジカメとプリンタを結ぶことができる。
【実施例】
【０００７】  本考案の一実施例を図１に示す。
図中１はデジカメ、２はＵＳＢケーブル、３は表示装置、４は表示装置のＵＳＢインターフェース部、５は表示部である。
表示装置３は、デジカメ１からの制御および写真データをＵＳＢケーブル２を介して受け取り内部のＵＳＢインターフェース部４で適切に処理して所望するデータを表示部５で適切に表示する。
ＵＳＢインターフェース部４はマイコンなどのＩＣから構成されＰｉｃｔＢｒｉｄｇｅ仕様に従ったＵＳＢケーブル経由のデジカメの制御信号を受信、分析、処理し適切に表示できるように表示部５にデータを送る。表示部５は液晶、プラズマ、ＥＬ、電子ペーパー、フレキシブル画面などで構成される表示装置であって、テレビや、ノートパソコン、デスクトップ用のモニターディスプレイ、フォトストレージ、デジタルフォトフレームなどのような物である。
表示装置３内に写真データを一時保存させて適宜読み出して表示させるなどの展開は従来の他の表示装置にも見られることからここで言及せず図示していない。
【産業上の利用可能性】
【０００８】  本考案の表示装置をデジカメと接続すれば、その高い簡便性と軽便性のためアウトドアの撮影現場、工事現場、作業現場で、容易に大きな画面上にてデジカメで撮った大きな写真を詳細に確認・検証でき、また予めデジカメ内に準備・収納して置いた図面データなどを容易に大きな画面に写し出して説明・指示ができ仕事の効率向上が図れる。
【図面の簡単な説明】
【０００９】
【図１】図１は本考案の一実施例である。
【符号の説明】
【００１０】  図中１はデジカメ、２はＵＳＢケーブル、３は表示装置、４は表示装置のＵＳＢインターフェース部、５は表示部である。
【図１】
0003135684.tif 000003
(57)【要約】      （修正有）【課題】現在、段ボール印刷加工時にチリや紙粉の混入による印刷不良や、製凾品への付着不良等、トラブルの原因になっており、その防止対策として簡易で手軽な解消方法を提供する。【解決手段】輪転機内の製品通過スペースから、紙粉等を、排出除去する為、版胴の回転に伴い、排出空気流を発生させる凸版状の壁面部を湾曲にしたウィングを考案した。このウィングはあらゆる輪転機に応用でき、簡易な方法で段ボール製品精度の向上に、資するものである。【選択図】図１
0003135685.tif 000002
【実用新案登録請求の範囲】
【請求項１】
凸版状の壁面部を湾曲にした版胴の回転に伴う空気流発生具。
【考案の詳細な説明】
【技術分野】
【０００１】本考案は、段ボール等の印刷加工時に障害となるチリや、紙粉の除去に関する。
【背景技術】
【０００２】現在、段ボール印刷加工時に於いて、チリや、紙粉が印版に付着したり、製品へ混入したりして、製造トラブルの原因となっている。
この為、紙粉等の除去対策として、粘着除去マット、除去ブラシ、バキュームでの吸い出し等、様々な対策が講じられてきている。
【考案の開示】
【考案が解決しようとする課題】
【０００３】しかし、いずれも完全な紙粉等の除去には至っておらず、加えて除去マットの頻繁な取り替え作業による時間的ロスや、当該除去装置が全く施されていない印刷機も数多く稼動しており装置の設置には膨大な予算が必要となる等、その問題点は、残存しており、簡易で手軽な対策が求められている。
【課題を解決する為の手段】
【０００４】そこで、紙粉等を加工製品の通過スペースから排出除去する為、版胴の回転を利用して排出空気流を発生させるウィング（図１）を考案した。
【考案の効果】
【０００５】よって、輪転機内に混入した紙粉等を、本考案の空気流発生ウィングにより、排出させ、加工製品を保護し、同種トラブルの防止に資するものである。
【考案を実施する為の最良の形態】
【０００６】本考案に係る空気流発生ウィングは、図１、図２に示すように、凸版状の壁面部を湾曲にして、版胴の回転に伴い、空気を掴み、斜め後方へ流す、いわゆる排出空気流を発生させる形状である。
厚みはインクが転写しないように印版より１ｍｍ程低くする。素材は、印版と同様に弾力性の有る樹脂や合成ゴム等で形成され、底部は、両面テープ等の接着材を備える。
【図面の簡単な説明】
【０００７】
【図１】▲Ａ▼本考案の紙粉等排出空気流発生ウィングの全体図である。▲Ｂ▼同上の断面図である。
【図２】印刷機の版胴にセットした図である。
【符号の説明】
【０００８】ア    湾曲部
イ    ベースフィルム
ウ    両面テープ等接着材
エ    当具の高さ
オ    当具の貼付状態
ａ    空気流の方向
ｂ    版胴の回転方向
ｃ    版胴
ｄ    印版
【図１】
0003135685.tif 000003
【図２】
0003135685.tif 000004
(57)【要約】【課題】キャップを外さなくとも対象物の情報を容易に把握することのできるキャップを得る。【解決手段】その下部に伸縮部を有する略袋状のキャップ本体を設け、該キャップ本体の外面に名札ポケットを設けたことを特徴とする。【選択図】図２
0003135665.tif 000002
【実用新案登録請求の範囲】
【請求項１】
その下部に伸縮部を有する略袋状のキャップ本体を設け、該キャップ本体の外面に名札ポケットを設けたことを特徴とする名札ポケット付きキャップ。
【考案の詳細な説明】
【技術分野】
【０００１】  この考案は、プランターや漬け物樽等にかぶせて使用するための名札ポケットを有するキャップに関する。
【背景技術】
【０００２】  従来より、種々のキャップが多用されているが、本案に示すように、名札表示部を有するキャップは見あたらない。
【考案の開示】
【考案が解決しようとする課題】
【０００３】  従来のキャップは単に対象物を覆うための機能しか有せず、対象物の内容等を表示する部分がないため、使用後にその対象物に関する情報を把握するには、一度キャップを取り外さねばならないという不便さを有していた。本案は以上のような従来からの課題を解決するために考案されたもので、キャップ適所に名札表示部を設けることにより、キャップを外さなくても対象物の内容を容易に把握することのできる、新規かつ有用なる物品を提供することを目的としたものである。
【課題を解決するための手段】
【０００４】  課題を解決する手段として本案は以下の構成とした。
すなわち、その下部に伸縮部を有する略袋状のキャップ本体を設け、該キャップ本体の外面に名札ポケットを設ける。本案は以上の構成よりなる名札ポケット付きキャップである。
【考案の効果】
【０００５】  本案によれば、袋状のキャップ下部に伸縮部を有し、キャップ外面に名札ポケットを設けたので、対象物の名称、内容、日付等を名札に記入した後に、その名札を名札ポケットに挿入し、対象物にキャップをかぶせることにより、キャップを外すことなくその対象物についての情報を容易に把握することができる、有用なる物品を提供することができる。
【考案を実施するための最良の形態】
【０００６】  以下、本考案の実施形態について説明する。
図において、１はキャップ本体で、合成樹脂薄シートにて形成され、その下部に開口部を有する略袋状物体である。２は伸縮部で、ゴムバンドを布体内に内蔵した紐状物体であり、キャップ本体下端の開口部に縫着されている。３は名札ポケットで、透明合成樹脂シートによる適宜サイズの角形シートの外周近傍をキャップ本体上面中央に固着して設けられる。ただし、外周の一方は固着されずに名札の挿入口となる。
本案を使用するには、まず名札ポケットに挿入可能サイズの紙片に内容や名称、日付等を適宜に記入し、名札ポケットに挿入する。次に、漬け物樽等の上部にこのキャップをかぶせる。キャップ下部にはゴムベルトを内蔵した伸縮部が位置しているので樽等に押圧接触してキャップが保持される。
本例ではキャップ中央上面にポケットを設けており、一瞥するだけで記入された事項を認識することができて、樽内容物に関する情報を読み取ることができ、漬け物樽に用いれば樽内へのゴミ・ほこりの侵入防止、匂い発散の防止等の効果が発揮される。また、紙片は着脱可能のため、別事項を記入した紙片と取り替えることにて種々の内容物に対応することができる。なお、ポケットの別例としては、角形シートの四辺を固着するとともに、該シートを、その中央で重なり合う部分を有する２枚にて形成し、この重なる個所を開いて紙片を挿入するよう形成してもよい。
キャップ本体は用途に応じていくつかのサイズを用意して使い分けてもよく、キャップ本体を透明シートを用いて形成してもよい。
以上のごとく、本案によって対象物内容をキャップを外すことなく容易に知ることのできる名札ポケット付きのキャップを得ることができる。また、タイヤ用のカバーなどその用途は広範囲である。
【図面の簡単な説明】
【０００８】
【図１】本考案の平面図
【図２】本考案の正面図
【図３】本考案の使用状態図（平面視）
【図４】本考案の使用状態図（正面視）
【符号の説明】
【０００８】  １  キャップ本体
２  伸縮部
３  名札ポケット
４  漬け物樽
【図１】
0003135665.tif 000003
【図２】
0003135665.tif 000004
【図３】
0003135665.tif 000005
【図４】
0003135665.tif 000006